(57)【要約】本発明はＨＡＲＱ情報送信の方法及び装置を開示し、無線技術分野に関する。前記方法は、基地局はユーザー装置（ＵＥ）のアップリンクデータを受信して、前記アップリンクデータのハイブリッド自動再送要求（ＨＡＲＱ）情報を取得するステップと、ダウンリンク制御情報を送信するための関連情報および前記ＨＡＲＱ情報を利用して、前記ＨＡＲＱ情報に対応する制御チャネルリソース位置を確定するステップと、ＵＥが前記ＨＡＲＱ情報を取得するように、前記制御チャネルリソース位置により指示される制御チャネルリソースを利用して、ダウンリンク制御情報をＵＥへ送信するステップと、を含む。
2016524852.tif 000002
【特許請求の範囲】
【請求項１】
ハイブリッド自動再送要求（ＨＡＲＱ）情報送信の方法であって、
基地局はユーザー装置ＵＥのアップリンクデータを受信して、前記アップリンクデータのＨＡＲＱ情報を取得するステップと、
ダウンリンク制御情報を送信するための関連情報および前記ＨＡＲＱ情報を利用して、前記ＨＡＲＱ情報に対応する制御チャネルリソース位置を確定するステップと、
ＵＥが前記ＨＡＲＱ情報を取得するように、前記制御チャネルリソース位置により指示される制御チャネルリソースを利用して、ダウンリンク制御情報を前記ＵＥへ送信するステップと、を含む、方法。
【請求項２】
前記基地局はアップリンクデータを受信して、前記アップリンクデータのＨＡＲＱ情報を取得するステップは、
基地局は前記アップリンクデータに対して受信処理を行うことにより、前記アップリンクデータのＨＡＲＱ情報を取得することを含み、前記ＨＡＲＱ情報は、前記アップリンクデータの受信処理結果を指示するためのＡＣＫ/ＮＡＣＫ値を含むことを特徴とする
請求項１に記載の方法。
【請求項３】
前記ダウンリンク制御情報を送信するための関連情報および前記ＨＡＲＱ情報を利用して、前記ＨＡＲＱ情報に対応する制御チャネルリソース位置を確定するステップは、
前記制御チャネルが物理ダウンリンク制御チャネル（ＰＤＣＣＨ）である場合、前記ダウンリンク制御情報を送信するための関連情報は、アグリゲーションレベル、およびキャリアインジケータフィールド（ＣＩＦ）指示値を含むことと、
基地局は前記ＡＣＫ/ＮＡＣＫ値、アグリゲーションレベル、およびＣＩＦ指示値を利用して、前記ＵＥの前記ＡＣＫ/ＮＡＣＫ値に対応するＰＤＣＣＨリソース位置を確定することと、を含むことを特徴とする
請求項２に記載の方法。
【請求項４】
前記ダウンリンク制御情報を送信するための関連情報および前記ＨＡＲＱ情報を利用して、前記ＨＡＲＱ情報に対応する制御チャネルリソース位置を確定するステップは、
前記制御チャネルが強化された物理ダウンリンク制御チャネル（ＥＰＤＣＣＨ）である場合、前記ダウンリンク制御情報を送信するための関連情報は、ＥＰＤＣＣＨの物理リソースブロック（ＰＲＢ）集合におけるＰＲＢ割り当て数、アグリゲーションレベル、およびキャリアインジケータフィールド（ＣＩＦ）指示値を含むことと、
基地局は前記ＡＣＫ/ＮＡＣＫ値、ＰＲＢ割り当て数、アグリゲーションレベル、およびＣＩＦ指示値を利用して、前記ＵＥの前記ＡＣＫ/ＮＡＣＫ値に対応するＥＰＤＣＣＨリソース位置を確定することと、を含むことを特徴とする
請求項２に記載の方法。
【請求項５】
前記ＵＥが前記ＨＡＲＱ情報を取得するステップは、
ＵＥが制御チャネルにより基地局からのダウンリンク制御情報を受信することと、
前記ダウンリンク制御情報を送信するための現在サブフレームの情報を利用して、ＨＡＲＱ情報が送信されたかどうかを判断することと、
ＨＡＲＱ情報が送信されたと判断する場合、前記ダウンリンク制御情報に利用される制御チャネルリソース位置を確定することにより、ＨＡＲＱ情報を取得することと、を含むことを特徴とする
請求項１〜４のいずれか一項に記載の方法。
【請求項６】
前記制御チャネルリソース位置を確定するステップは、
前記制御チャネルがＰＤＣＣＨである場合、前記ＵＥはダウンリンク制御情報を受信するための、アグリゲーションレベル、およびＣＩＦ指示値を含む関連情報を利用して、前記アップリンクデータのＡＣＫ/ＮＡＣＫ値をトラバーサルすることにより、前記ＵＥのＰＤＣＣＨリソース位置を確定することを含むことを特徴とする
請求項４に記載の方法。
【請求項７】
前記制御チャネルリソース位置を確定するステップは、
前記制御チャネルがＥＰＤＣＣＨである場合、前記ＵＥはダウンリンク制御情報を受信するための、ＰＲＢ割り当て数、アグリゲーションレベル、およびＣＩＦ指示値を含む関連情報を利用して、前記アップリンクデータのＡＣＫ/ＮＡＣＫ値をトラバーサルすることにより、前記ＵＥのＥＰＤＣＣＨリソース位置を確定することを含むことを特徴とする
請求項４に記載の方法。
【請求項８】
ＵＥは前記ＰＤＣＣＨリソース位置又は前記ＥＰＤＣＣＨリソース位置により、対応するＰＤＣＣＨリソース又はＥＰＤＣＣＨリソースを見付けて、前記ＰＤＣＣＨリソース又はＥＰＤＣＣＨリソースを利用して前記ＵＥのダウンリンク制御情報に対して復調を行うことをさらに含むことを特徴とする
請求項６又は７に記載の方法。
【請求項９】
基地局であって、
ユーザー装置（ＵＥ）のアップリンクデータを受信して、前記アップリンクデータのＨＡＲＱ情報を取得するように構成されるＨＡＲＱ情報取得モジュールと、
ダウンリンク制御情報を送信するための関連情報および前記ＨＡＲＱ情報を利用して、前記ＨＡＲＱ情報に対応する制御チャネルリソース位置を確定するように構成される位置確定モジュールと、
ＵＥが前記ＨＡＲＱ情報を取得するように、前記制御チャネルリソース位置により指示される制御チャネルリソースを利用して、ダウンリンク制御情報を前記ＵＥへ送信するように構成される情報送信モジュールと、を含む、基地局。
【請求項１０】
端末であって、
制御チャネルにより基地局からのダウンリンク制御情報を受信するように構成される情報受信モジュールと、
前記ダウンリンク制御情報を送信するための現在サブフレームの情報を利用して、ＨＡＲＱ情報が送信されたかどうかを判断するように構成されるＨＡＲＱ情報判断モジュールと、
ＨＡＲＱ情報が送信されたと判断する場合、前記ダウンリンク制御情報に利用される制御チャネルリソース位置を確定することにより、ＨＡＲＱ情報を取得するように構成されるＨＡＲＱ情報取得モジュールとを含む、端末。
【請求項１１】
前記制御チャネルリソース位置により、対応する制御チャネルリソースを見付けて、前記制御チャネルリソースを利用して前記ＵＥのダウンリンク制御情報に対して復調を行うように構成される情報復調モジュールをさらに含み、
前記制御チャネルは、物理ダウンリンク制御チャネル（ＰＤＣＣＨ）又は強化された物理ダウンリンク制御チャネル（ＥＰＤＣＣＨ）であることを特徴とする
請求項１０に記載の端末。
【請求項１２】
ハイブリッド自動再送要求（ＨＡＲＱ）情報送信のシステムであって、請求項９に記載の基地局と請求項１０又は１１に記載の端末を含む、システム。
【請求項１３】
コンピュータ読み取り可能な記憶媒体であって、
当該記憶媒体は一つのグループのコマンドを含み、前記コマンドを実行する場合に、少なくても一つのプロセッサは、
ユーザー装置（ＵＥ）のアップリンクデータを受信して、前記アップリンクデータのＨＡＲＱ情報を取得する操作と、
ダウンリンク制御情報を送信するための関連情報および前記ＨＡＲＱ情報を利用して、前記ＨＡＲＱ情報に対応する制御チャネルリソース位置を確定する操作と、
ＵＥが前記ＨＡＲＱ情報を取得するように、前記制御チャネルリソース位置により指示される制御チャネルリソースを利用して、ダウンリンク制御情報を前記ＵＥへ送信する操作とを実行する、記憶媒体。
【発明の詳細な説明】
【技術分野】
【０００１】
本発明は無線技術分野におけるハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）情報フィードバック技術に関し、特にＨＡＲＱ情報送信の方法、基地局、端末及びシステムに関する。
【背景技術】
【０００２】
長期発展型（ＬＴＥ）システムの急速な発展に伴って、新しい技術ポイントが進化された長期発展型（ＬＴＥ−Ａｄｖａｎｃｅｄ）に絶えず出現した。ＬＴＥシステムと比べて、ＬＴＥ−Ａｄｖａｎｃｅｄシステムはキー技術面で大幅な強化を有し、キャリアアグリゲーション技術（Ｃａｒｒｉｅｒ  ａｇｇｒｅｇａｔｉｏｎ：ＣＡ）、中継（Ｒｅｌａｙ）技術、協調マルチポイント送信（Ｃｏｏｐｅｒａｔｉｖｅ  ｍｕｌｔｉ  ｐｏｉｎｔ  ｔｒａｎｓｍｉｓｓｉｏｎ：ＣｏＭＰ）技術、強化型マルチアンテナ技術、アップリンクマルチアンテナ技術などが導入された。
【０００３】
ＣＡなど新しい技術の導入に伴って、システムにおいてサービング可能なユーザー数が絶えず増加して、制御チャネルリソースはリソース不足の問題が存在する。従来のＣＡ技術において、物理ハイブリッド自動再送要求指示チャネル（Ｐｈｙｓｉｃａｌ  ｈｙｂｒｉｄ  ａｕｔｏｍａｔｉｃ  ｒｅｔｒａｎｓｍｉｓｓｉｏｎ  ｒｅｑｕｅｓｔ  ｉｎｄｉｃａｔｏｒ  ｃｈａｎｎｅｌ：ＰＨＩＣＨ）リソースを送信するキャリアは、それに対応する許可情報を送信するキャリアと一致することが規定される。このようにして、クロスキャリアスケジューリングの条件で、制御チャネルリソースはリソース不足の問題がさらに存在する。
【０００４】
ＬＴＥシステムにおいて、ＰＨＩＣＨリソースが限られるので、ユーザー数が急増している情况下で、ユーザーのアップリンクデータのＨＡＲＱ情報の送信が制限され、これによってアップリンクデータのＨＡＲＱ情報を送信できないという問題が生じていた。
【０００５】
そのほかに、ＬＴＥシステムにおいて、制御チャネルの復調を行うために、制御情報の送信はセル参照信号（Ｃｅｌｌ-ｓｐｅｃｉｆｉｃ  Ｒｅｆｅｒｅｎｃｅ  Ｓｉｇｎａｌ：ＣＲＳ）の送信と結合する必要がある。ＮＣＴにおいて、ＣＲＳ情報の送信がないので、ＬＴＥシステムにおけるＰＨＩＣＨチャネルを送信することができず、これにより、アップリンクデータのＨＡＲＱ情報送信の問題を起こすことになる。
【発明の概要】
【発明が解決しようとする課題】
【０００６】
従来に存在する課題を解決するために、本発明の実施例はＨＡＲＱ情報送信の方法、基地局、端末及びシステムを提供する。
【課題を解決するための手段】
【０００７】
本発明の実施例に係る一つの方面によって、ハイブリッド自動再送要求（ＨＡＲＱ）情報送信の方法が提供される。当該方法は、
基地局はユーザー装置（ＵＥ）のアップリンクデータを受信して、前記アップリンクデータのハイブリッド自動再送要求（ＨＡＲＱ）情報を取得するステップと、
ダウンリンク制御情報を送信するための関連情報および前記ＨＡＲＱ情報を利用して、前記ＨＡＲＱ情報に対応する制御チャネルリソース位置を確定するステップと、
ＵＥが前記ＨＡＲＱ情報を取得するように、前記制御チャネルリソース位置により指示される制御チャネルリソースを利用して、ダウンリンク制御情報をＵＥへ送信するステップと、を含む。
【０００８】
好ましくは、前記基地局はアップリンクデータを受信して、前記アップリンクデータのＨＡＲＱ情報を取得するステップは、基地局は前記アップリンクデータに対して受信処理を行うことにより、前記アップリンクデータのＨＡＲＱ情報を取得することを含み、前記ＨＡＲＱ情報は前記アップリンクデータの受信処理結果を指示するためのＡＣＫ/ＮＡＣＫ値を含む。
【０００９】
好ましくは、前記ダウンリンク制御情報を送信するための関連情報および前記ＨＡＲＱ情報を利用して、前記ＨＡＲＱ情報に対応する制御チャネルリソース位置を確定するステップは、前記制御チャネルが物理ダウンリンク制御チャネルＰＤＣＣＨである場合、前記ダウンリンク制御情報を送信するための関連情報は、アグリゲーションレベル、キャリアインジケータフィールドＣＩＦ指示値を含むことと、基地局は前記ＡＣＫ/ＮＡＣＫ値、アグリゲーションレベル、およびＣＩＦ指示値を利用して、前記ＵＥの前記ＡＣＫ/ＮＡＣＫ値に対応するＰＤＣＣＨリソース位置を確定することと、を含む。
【００１０】
好ましくは、前記制御チャネルが強化された物理ダウンリンク制御チャネル（ＥＰＤＣＣＨ）である場合、前記ダウンリンク制御情報を送信するための関連情報は、ＥＰＤＣＣＨの物理リソースブロックＰＲＢ集合におけるＰＲＢ割り当て数、アグリゲーションレベル、およびキャリアインジケータフィールド（ＣＩＦ）指示値を含み、基地局は前記ＡＣＫ/ＮＡＣＫ値、ＰＲＢ割り当て数、アグリゲーションレベル、およびＣＩＦ指示値を利用して、前記ＵＥの前記ＡＣＫ/ＮＡＣＫ値に対応するＥＰＤＣＣＨリソース位置を確定する。
【００１１】
好ましくは、前記ＵＥが前記ＨＡＲＱ情報を取得するステップは、
ＵＥが制御チャネルにより基地局からのダウンリンク制御情報を受信することと、
前記ダウンリンク制御情報を送信するための現在サブフレームの情報を利用して、ＨＡＲＱ情報が送信されたかどうかを判断することと、
ＨＡＲＱ情報が送信されたと判断するする場合、前記ダウンリンク制御情報に利用される制御チャネルリソース位置を確定することにより、ＨＡＲＱ情報を取得することと、を含む。
【００１２】
好ましくは、前記制御チャネルリソース位置を確定するステップは、前記制御チャネルがＰＤＣＣＨである場合、前記ＵＥはダウンリンク制御情報を受信するための、アグリゲーションレベル、ＣＩＦ指示値を含む関連情報を利用して、前記アップリンクデータのＡＣＫ/ＮＡＣＫ値をトラバーサルすることにより、前記ＵＥのＰＤＣＣＨリソース位置を確定することを含む。
【００１３】
好ましくは、前記制御チャネルリソース位置を確定するステップは、前記制御チャネルがＥＰＤＣＣＨである場合、前記ＵＥはダウンリンク制御情報を受信するための、ＰＲＢ割り当て数、アグリゲーションレベル、およびＣＩＦ指示値を含む関連情報を利用して、前記アップリンクデータのＡＣＫ/ＮＡＣＫ値をトラバーサルすることにより、前記ＵＥのＥＰＤＣＣＨリソース位置を確定することを含む。
【００１４】
好ましくは、前記方法は、ＵＥは前記ＰＤＣＣＨリソース位置又は前記ＥＰＤＣＣＨリソース位置により、対応するＰＤＣＣＨリソース又はＥＰＤＣＣＨリソースを見付けて、前記ＰＤＣＣＨリソース又はＥＰＤＣＣＨリソースを利用して前記ＵＥのダウンリンク制御情報に対して復調を行うことをさらに含む。
【００１５】
本発明の実施例に係る他の方面によって、基地局が提供される。当該基地局は、
ＵＥのアップリンクデータを受信して、前記アップリンクデータのＨＡＲＱ情報を取得するように構成されるＨＡＲＱ情報取得モジュールと、
ダウンリンク制御情報を送信するための関連情報および前記ＨＡＲＱ情報を利用して、前記ＨＡＲＱ情報に対応する制御チャネルリソース位置を確定するように構成される位置確定モジュールと、
ＵＥが前記ＨＡＲＱ情報を取得するように、前記制御チャネルリソース位置により指示される制御チャネルリソースを利用して、ダウンリンク制御情報をＵＥへ送信するように構成される情報送信モジュールと、を含む。
【００１６】
本発明の実施例に係る他の方面によって、端末が提供される。当該端末は、
制御チャネルにより基地局からのダウンリンク制御情報を受信するように構成される情報受信モジュールと、
前記ダウンリンク制御情報を送信するための現在サブフレームの情報を利用して、ＨＡＲＱ情報が送信されたかどうかを判断するように構成されるＨＡＲＱ情報判断モジュールと、
ＨＡＲＱ情報が送信されたと判断する場合、前記ダウンリンク制御情報を利用して制御チャネルリソース位置を確定することにより、ＨＡＲＱ情報を取得するように構成されるＨＡＲＱ情報取得モジュールと、を含む。
【００１７】
好ましくは、前記端末は、
前記制御チャネルリソース位置により、対応する制御チャネルリソースを見付けて、前記制御チャネルリソースを利用して前記ＵＥのダウンリンク制御情報に対して復調を行うように構成される情報復調モジュールをさらに含み、
前記制御チャネルはＰＤＣＣＨ又はＥＰＤＣＣＨである。
【００１８】
本発明の実施例に係る他の方面によって、ＨＡＲＱ情報送信のシステムが提供され、上記の基地局と端末を含む。
【００１９】
本発明の実施例に係る他の方面によって、コンピュータ読み取り可能な記憶媒体が提供され、当該記憶媒体は一つのグループのコマンドを含み、前記コマンドを実行する場合に、少なくても一つのプロセッサは、
ＵＥのアップリンクデータを受信して、前記アップリンクデータのＨＡＲＱ情報を取得する操作と、
ダウンリンク制御情報を送信するための関連情報および前記ＨＡＲＱ情報を利用して、前記ＨＡＲＱ情報に対応する制御チャネルリソース位置を確定する操作と、
ＵＥが前記ＨＡＲＱ情報を取得するように、前記制御チャネルリソース位置により指示される制御チャネルリソースを利用して、ダウンリンク制御情報を前記ＵＥへ送信する操作と、を実行する。
【００２０】
従来の技術と比べて、本発明の実施例は、以下の有益な效果を有する。
【００２１】
本発明の実施例はＨＡＲＱ情報とＰＤＣＣＨ/ＥＰＤＣＣＨのリソース位置割り当てを結合し、ＵＥのＰＤＣＣＨ/ＥＰＤＣＣＨのリソース位置により、ＨＡＲＱ情報を暗黙的にＵＥへ伝送し、このようにして、ＰＤＣＣＨ/ＥＰＤＣＣＨに占用されるリソース数に影響を与えない前提で、ＨＡＲＱ情報を伝送するうえに、ＰＤＣＣＨ/ＥＰＤＣＣＨ情報も伝送し、同時に時間周波数リソースを節約する。
【図面の簡単な説明】
【００２２】
【図１】本発明の実施例に係るＨＡＲＱ情報送信の方法原理ブロック図である。
【図２】本発明の実施例に係るアップリンクデータのＨＡＲＱ情報とＰＤＣＣＨリソース位置割り当てを融合するフローチャートである。
【図３】本発明の実施例に係るアップリンクデータのＨＡＲＱ情報とＥＰＤＣＣＨリソース位置割り当てを融合するフローチャートである。
【図４】本発明の実施例に係る基地局の構造模式図である。
【図５】本発明の実施例に係る端末の構造模式図である。
【図６】本発明の実施例に係るＨＡＲＱ情報送信のシステムブロック図である。
【発明を実施するための形態】
【００２３】
以下、添付の図面を参照して、本発明の好ましい実施例に対して詳細に説明する。以下で説明される好ましい実施例は本発明を説明し解釈することだけに用いられ、本発明を限定するためのものではないことを理解すべきである。
【００２４】
本発明の実施例は、従来に存在する問題を解決するために、ＰＤＣＣＨリソース位置割り当てとＨＡＲＱ情報を効果的に融合する方法、及びＥＰＤＣＣＨリソース割り当てとＨＡＲＱ情報を効果的に融合する方法を提供する。
【００２５】
図１は本発明の実施例に係るＨＡＲＱ情報送信の方法原理ブロック図であり、図１に示すように、以下のステップを含む。
【００２６】
ステップ１０１において、基地局はＵＥのアップリンクデータを受信して、前記アップリンクデータに対して受信処理を行うことにより、前記アップリンクデータのＨＡＲＱ情報を取得する。
【００２７】
ここで、前記ＨＡＲＱ情報は、前記アップリンクデータの受信処理結果を指示するための確認ＡＣＫ/ＮＡＣＫ値を含む。
【００２８】
ステップ１０２において、ダウンリンク制御情報を送信するための関連情報および前記ＨＡＲＱ情報を利用して、前記ＨＡＲＱ情報に対応する制御チャネルリソース位置を確定する。
【００２９】
具体的に、前記制御チャネルがＰＤＣＣＨである場合、前記ダウンリンク制御情報を送信するための関連情報は、アグリゲーションレベル、キャリアインジケータフィールド（ＣＩＦ）指示値を含み、基地局側は、前記ＡＣＫ/ＮＡＣＫ値、アグリゲーションレベル、ＣＩＦ指示値を利用して、前記ＵＥの前記ＡＣＫ/ＮＡＣＫ値に対応するＰＤＣＣＨリソース位置を確定する。前記制御チャネルがＥＰＤＣＣＨである場合、前記ダウンリンク制御情報を送信するための関連情報は、ＥＰＤＣＣＨの物理リソースブロック（ＰＲＢ）集合におけるＰＲＢ割り当て数、アグリゲーションレベル、キャリアインジケータフィールド（ＣＩＦ）指示値を含み、基地局側は、前記ＡＣＫ/ＮＡＣＫ値、ＰＲＢ割り当て数、アグリゲーションレベル、ＣＩＦ指示値を利用して、前記ＵＥの前記ＡＣＫ/ＮＡＣＫ値に対応するＥＰＤＣＣＨリソース位置を確定する。
【００３０】
ステップ１０３において、ＵＥが前記ＨＡＲＱ情報を取得するように、前記制御チャネルリソース位置により指示される制御チャネルリソースを利用して、ダウンリンク制御情報をＵＥへ送信する。
【００３１】
ここで、前記ＵＥが前記ＨＡＲＱ情報を取得するステップは、ＵＥが制御チャネルにより基地局からのダウンリンク制御情報を受信して、前記ダウンリンク制御情報を送信するための現在サブフレームの情報を利用して、ＨＡＲＱ情報が送信されたかどうかを判断することと、ＨＡＲＱ情報が送信されたと判断する場合、前記ダウンリンク制御情報に利用される制御チャネルリソース位置を確定することにより、ＨＡＲＱ情報を取得することと、を含む。
【００３２】
前記制御チャネルリソース位置を確定するステップは、前記制御チャネルがＰＤＣＣＨである場合、前記ＵＥは、ダウンリンク制御情報を受信するための、アグリゲーションレベル、およびＣＩＦ指示値を含む関連情報を利用して、前記アップリンクデータのＡＣＫ/ＮＡＣＫ値をトラバーサルすることにより、前記ＵＥのＰＤＣＣＨリソース位置を確定することと、前記制御チャネルがＥＰＤＣＣＨである場合、前記ＵＥは、ダウンリンク制御情報を受信するためのＰＲＢ割り当て数、アグリゲーションレベル、およびＣＩＦ指示値を含む関連情報を利用して、前記アップリンクデータのＡＣＫ/ＮＡＣＫ値をトラバーサルすることにより、前記ＵＥのＥＰＤＣＣＨリソース位置を確定することと、を含む。
【００３３】
好ましくは、ＵＥは、前記ＰＤＣＣＨリソース位置又は前記ＥＰＤＣＣＨリソース位置により、対応するＰＤＣＣＨリソース又はＥＰＤＣＣＨリソースを見付けて、前記ＰＤＣＣＨリソース又はＥＰＤＣＣＨリソースを利用して前記ＵＥのダウンリンク制御情報に対して復調を行う。
【００３４】
図２は本発明の実施例に係るアップリンクデータのＨＡＲＱ情報とＰＤＣＣＨリソース位置割り当てを融合するフローチャートであり、図２に示すように、以下のステップを含む。
【００３５】
ステップ２０１において、基地局は、ＵＥからのアップリンクデータを受信し、受信処理を行って、前記アップリンクデータのＨＡＲＱ情報を取得する。
【００３６】
ステップ２０２において、基地局は、前記ＵＥのＰＤＣＣＨ情報送信（即ち、ＰＤＣＣＨによりダウンリンク制御情報（ＤＣＩ）を送信する）に必要な関連情報、例えば、アグリゲーションレベルＬ、ＣＩＦ指示値ｎＣＩなどの情報を取得する。ここでのＰＤＣＣＨ情報は、ＵＥのアップリンク許可情報を含んでもよく、ＵＥのダウンリンク許可情報を含んでもよい。
【００３７】
ステップ２０３において、基地局は、ＵＥのＨＡＲＱ情報を結合してＰＤＣＣＨリソース位置割り当てを行い、即ち、基地局側がＨＡＲＱ情報を前記ＵＥのＰＤＣＣＨリソース位置割り当てに融合し、割り当てて得られた前記ＵＥのＰＤＣＣＨリソース位置は、基地局側がＨＡＲＱ情報を送信するかどうか、及び送信した具体的なＨＡＲＱ情報を反映しいている。
【００３８】
前記ＨＡＲＱ情報と、対応するＵＥのＰＤＣＣＨリソース位置割り当てとの融合は、以下の式（１）により行う。
【００３９】
【数１】
2016524852.tif 000003
【００４０】
ここで、関数ｆ（ａｃｋ１，ａｃｋ２，ａｃｋ３、…）は変数がａｃｋ１、ａｃｋ２、ａｃｋ３、…などの関数である。ここで以下のようなｆの式を提供する。
【００４１】
【数２】
2016524852.tif 000004
【００４２】
そして、式（１）が以下のような式（３）に変わる。
【００４３】
【数３】
2016524852.tif 000005
【００４４】
ステップ２０４において、基地局がＰＤＣＣＨ情報をＵＥへ送信する。
【００４５】
具体的に、基地局が、確定されるＰＤＣＣＨリソース位置により、ＰＤＣＣＨリソースを見付け、ＵＥがそのＨＡＲＱ情報を取得するように、前記ＰＤＣＣＨリソースを利用してＤＣＩ情報をＵＥへ送信する。
【００４６】
前記ＵＥがそのＨＡＲＱ情報を取得するステップ、即ち、ＵＥ側の処理ステップは以下のとおりである。
【００４７】
ステップ２０４-１において、ＵＥは、基地局から送信された対応するＰＤＣＣＨ情報、即ち、ＵＥがＰＤＣＣＨにより基地局からのＤＣＩを受信する。
【００４８】
ステップ２０４-２において、ＵＥは、ＰＤＣＣＨ情報の受信に必要な関連情報、例えば、アグリゲーションレベルＬ、ＣＩＦ指示値ｎＣＩなどの情報を取得する。
【００４９】
ステップ２０４-３において、ＵＥは、ＰＤＣＣＨ情報を送信した現在サブフレームに従って、基地局がＨＡＲＱ情報を送信したかどうかを判断して、判断結果に従ってＰＤＣＣＨのリソース位置を取得する。
【００５０】
ＨＡＲＱの送信がある場合、本発明の実施例に係る前記方法を採用してＰＤＣＣＨリソース位置を取得し、ＨＡＲＱの送信がない場合、従来のＬＴＥ技術におけるＰＤＣＣＨリソース位置割り当て方法に従ってＰＤＣＣＨリソース位置を取得する。即ち、本発明実施例に係る技術的な解決策は下位互換性を有する。
【００５１】
基地局側のＨＡＲＱ情報とＰＤＣＣＨリソース位置割り当てのステップと類似し、ＵＥは以下の式に応じてＵＥのＰＤＣＣＨリソース位置を計算する。
2016524852.tif 000006
【００５２】
ここで、ｆの式は、基地局側と一致性を保持する。
【００５３】
ＵＥが基地局からフィードバックされたＨＡＲＱ情報の具体値を知らないので、復調する時に、すべての可能なＨＡＲＱの値をトラバーサルして、対応するＰＤＣＣＨリソース割り当て位置を取得する必要がある。
【００５４】
ステップ２０４-４において、ＵＥは、前記ＰＤＣＣＨリソース位置により指示されるＰＤＣＣＨリソース上で自身のＰＤＣＣＨ情報を復調し、即ち、復調して自身のＤＣＩを取得する。
【００５５】
式における対応するパラメーターに対する説明は、以下のとおりである。
【００５６】
ｉ＝０，……，Ｌ−１である。
【００５７】
上位層にＣＩＦが構成されると、ｍ′＝ｍ＋Ｍ（Ｌ）・ｎＣＩであり、前記ｎＣＩはＣＩＦの値であり、ｍ＝０，１，…Ｍ（Ｌ）−１である。上位層にＣＩＦが構成されないと、ｍ′＝ｍであり、Ｍ（Ｌ）は検索スペースにおけるアグリゲーションレベルがＬである候補ＰＤＣＣＨ数である。
【００５８】
Ｙｋの値はＹｋ＝（Ａ・Ｙｋ−１）ｍｏｄＤであり、ここで、Ｙ−１＝ｎＲＮＴＩ≠０であり、Ａ＝３９８２７であり、Ｄ＝６５５３７であり、ｋは無線フレームにおけるサブフレーム番号であり、ｋ＝［ｎｓ／２］であり、ｎｓは無線フレームのｓｌｏｔのコーディングであり、ｎＲＮＴＩはＲＮＴＩであって、上位層により構成されたＵＥの端末識別番号である。
【００５９】
具体的な実施例１
アップリンク端末が同時に二つのデータブロックをアップロードすると仮定する場合、基地局が前記二つのデータブロックに対して受信処理を行った後、取得した前記二つのデータブロックに対応する二つのＨＡＲＱ情報を同時に送信する必要があり、基地局側の具体的な操作プロセスは以下のとおりである。
【００６０】
１．基地局は、ＵＥのアップリンクデータのＨＡＲＱ情報を取得し、即ち、ａｃｋ１とａｃｋ２を取得し、前記ａｃｋ１とａｃｋ２の値は０又は１である。
【００６１】
２．基地局は、ＵＥのＰＤＣＣＨ情報の送信に必要な関連情報、例えば、アグリゲーションレベルＬ、ＣＩＦ指示値ｎＣＩなどの情報を取得する。ここでのＰＤＣＣＨは、ＵＥのアップリンク許可情報を含んでもよく、ＵＥのダウンリンク許可情報を含んでもよい。
【００６２】
３．基地局が以下の式に応じてＵＥのＰＤＣＣＨリソース割り当て位置を計算する。
2016524852.tif 000007
【００６３】
本実施例において、式のＭ１の値は
2016524852.tif 000008
であり、Ｍ２の値は
2016524852.tif 000009
である。基地局はＨＡＲＱ情報を送信するので、パラメーターＫ１とＫ２の値がいずれも１であり、ＰＤＣＣＨリソース位置を計算する式は以下のとおりである。
2016524852.tif 000010
【００６４】
４．基地局はＵＥのＰＤＣＣＨ情報を送信する。具体的に、基地局は確定されたＰＤＣＣＨリソース位置により、ＰＤＣＣＨリソースを見付けて、前記ＰＤＣＣＨリソースを利用してＤＣＩ情報をＵＥへ送信して、ＵＥがそのＨＡＲＱ情報を取得するようにする。
【００６５】
ＵＥ側において、前記ＵＥがそのＨＡＲＱ情報を取得するステップは、以下のとおりである。
【００６６】
１．ＵＥは、基地局から送信される対応するＰＤＣＣＨ情報を受信する。
【００６７】
２．ＵＥは、ＰＤＣＣＨ情報を受信するために必要な関連情報、例えばアグリゲーションレベルＬ、ＣＩＦ指示値ｎＣＩなどの情報を取得する。ここでのＰＤＣＣＨは、ＵＥのアップリンク許可情報を含んでもよく、ＵＥのダウンリンク許可情報を含んでもよい。
【００６８】
３．ＵＥは、以下の式に応じてＵＥのＰＤＣＣＨリソース位置を計算する。
2016524852.tif 000011
【００６９】
本実施例において、式のＭ１の値は
2016524852.tif 000012
であり、Ｍ２の値は
2016524852.tif 000013
である。ＨＡＲＱ情報の送信があるので、パラメーターＫ１とＫ２の値はいずれも１であり、ＰＤＣＣＨリソース位置を計算する式は以下のとおりである。
2016524852.tif 000014
【００７０】
ＵＥが基地局からフィードバックされたＨＡＲＱ情報の具体値を知らないので、復調する時に、すべての可能なＨＡＲＱ値をトラバーサルして、対応するＰＤＣＣＨリソース位置を取得する必要がある。
【００７１】
４．ＵＥは、対応するＰＤＣＣＨリソース位置により指示されるＰＤＣＣＨリソース上で自身のＰＤＣＣＨ情報を復調する。
【００７２】
式における対応するパラメーターに対する説明は、以下のとおりである。
【００７３】
ｉ＝０，……，Ｌ−１である。
【００７４】
上位層にＣＩＦが構成されると、ｍ′＝ｍ＋Ｍ（Ｌ）・ｎＣＩであり、前記ｎＣＩはＣＩＦの値であり、ｍ＝０，１，…Ｍ（Ｌ）・−１である。上位層にＣＩＦが構成されないと、ｍ′＝ｍであり、Ｍ（Ｌ）は検索スペースにおけるアグリゲーションレベルがＬである候補ＰＤＣＣＨ数である。
【００７５】
前記Ｙｋの値はＹｋ＝（Ａ・Ｙｋ−１）ｍｏｄＤであり、ここで、Ｙ−１＝ｎＲＮＴＩ≠０であり、Ａ＝３９８２７であり、Ｄ＝６５５３７であり、ｋは無線フレームにおけるサブフレーム番号であり、ｋ＝［ｎｓ／２］であり、ｎｓは無線フレームにおけるｓｌｏｔのコーディングであり、ｎＲＮＴＩはＲＮＴＩであって、上位層により構成されたＵＥの端末識別番号である。
【００７６】
具体的な実施例２
基地局はアップリンクデータを受信しない場合に、ＨＡＲＱ情報の送信はなく、この時に、基地局の具体的な操作プロセスは以下のとおりである。
【００７７】
１．基地局は、ＵＥアップリンクデータのＨＡＲＱ情報を取得し、ＨＡＲＱ情報の送信がないので、ＡＣＫ=ｎｕｌｌである。
【００７８】
２．基地局は、ＵＥのＰＤＣＣＨ情報の送信に必要な関連情報、例えば、アグリゲーションレベルＬ、ＣＩＦ指示値ｎＣＩ、ＮＣＣＥ値などの情報を取得する。ここでのＰＤＣＣＨは、ＵＥのアップリンク許可情報を含んでもよく、ＵＥのダウンリンク許可情報を含んでもよい。
【００７９】
３．以下の式に応じてＵＥのＰＤＣＣＨのリソース割り当て位置を計算する。
2016524852.tif 000015
【００８０】
本具体的な実施例において、ＨＡＲＱ情報の送信がないので、パラメーターＫ１とＫ２の値はいずれも０であり、ＰＤＣＣＨリソース位置を計算する式は以下のとおりである。
2016524852.tif 000016
【００８１】
上記式からわかるように、本発明の実施例に係る前記ＰＤＣＣＨリソース位置割り当て方式は従来のＬＴＥ技術における割り当て方式と互換性がある。
【００８２】
４．基地局側はＵＥのＰＤＣＣＨ情報を送信する。具体的に、基地局は、確定されたＰＤＣＣＨリソース位置により、ＰＤＣＣＨリソースを見付けて、前記ＰＤＣＣＨリソースを利用してＤＣＩ情報をＵＥへ送信して、ＵＥがそのＨＡＲＱ情報を取得するようにする。
【００８３】
ＵＥ側において、前記ＵＥがそのＨＡＲＱ情報を取得するステップは以下のとおりである。
【００８４】
１．ＵＥは、基地局から送信された対応するＰＤＣＣＨ情報を受信する。
【００８５】
２．ＵＥは、ＰＤＣＣＨ情報を受信するために必要な関連情報、例えばアグリゲーションレベルＬ、ＣＩＦ指示値ｎＣＩなどの情報を取得する。ここでのＰＤＣＣＨは、ＵＥのアップリンク許可情報を含んでもよく、ＵＥのダウンリンク許可情報を含んでもよい。
【００８６】
３．ＵＥは、以下の式に応じてＵＥのＰＤＣＣＨリソース割り当て位置を計算する。
2016524852.tif 000017
【００８７】
本実施例において、ＨＡＲＱ情報の送信がないので、パラメーターＫ１とＫ２の値は０であり、ＰＤＣＣＨリソース位置を計算する式は以下のとおりである。
2016524852.tif 000018
【００８８】
４．ＵＥは、対応するＰＤＣＣＨリソース割り当て位置により指示されるＰＤＣＣＨ上で自身のＰＤＣＣＨ情報を復調する。
【００８９】
式における対応するパラメーターに対する説明は、以下のとおりである。
【００９０】
ｉ＝０，……，Ｌ−１である。
【００９１】
上位層にＣＩＦが構成されると、ｍ′＝ｍ＋Ｍ（Ｌ）・ｎＣＩであり、ｎＣＩはＣＩＦの値であり、
2016524852.tif 000019
であり、上位層にＣＩＦが構成されないと、ｍ′＝ｍであり、Ｍ（Ｌ）は検索スペースにおけるアグリゲーションレベルがＬである候補ＰＤＣＣＨの数である。
【００９２】
Ｙｋの値はＹｋ＝（Ａ・Ｙｋ−１）ｍｏｄＤであり、ここで、Ｙ−１＝ｎＲＮＴＩ≠０であり、Ａ＝３９８２７であり、Ｄ＝６５５３７であり、ｋは無線フレームにおけるサブフレーム番号であり、ｋ＝［ｎｓ／２］であり、ｎｓは無線フレームにおけるｓｌｏｔのコーディングであり、ｎＲＮＴＩはＲＮＴＩであって、上位層により構成されるＵＥの端末識別番号である。
【００９３】
図３は本発明の実施例に係るアップリンクデータのＨＡＲＱ情報とＥＰＤＣＣＨリソース位置割り当てを融合するフローチャートであり、図３に示すように、以下のステップを含む。
【００９４】
ステップ３０１において、基地局は、ＵＥからのアップリンクデータを受信し、受信処理を行って、前記アップリンクデータのＨＡＲＱ情報を取得する。
【００９５】
ステップ３０２において、基地局は、前記ＵＥのＥＰＤＣＣＨ情報送信（即ち、ＥＰＤＣＣＨによりダウンリンク制御情報ＤＣＩを送信する）に必要な関連情報、例えば、ＥＰＤＣＣＨ-ＰＲＢ-ｓｅｔのＰＲＢ割り当て数、アグリゲーションレベルＬ、ＣＩＦ指示値ｎＣＩなどの情報を取得する。ここでのＥＰＤＣＣＨは、ＵＥのアップリンク許可情報を含んでもよく、ＵＥのダウンリンク許可情報を含んでもよい。
【００９６】
ステップ３０３において、基地局は、ＵＥのＨＡＲＱ情報を結合してＥＰＤＣＣＨリソース位置割り当てを行い、即ち、基地局は、ＨＡＲＱ情報を前記ＵＥのＥＰＤＣＣＨリソース位置割り当てに融合し、割り当てて得られた前記ＵＥのＥＰＤＣＣＨリソース位置は、基地局側がＨＡＲＱ情報を送信するかどうか、及び送信した具体的なＨＡＲＱ情報を反映している。
【００９７】
前記ＨＡＲＱ情報と、対応するＵＥのＥＰＤＣＣＨリソース位置割り当てとの融合は、以下の式（４）により行う。
【００９８】
【数４】
2016524852.tif 000020
【００９９】
ここで、関数ｆ（ａｃｋ１，ａｃｋ２，ａｃｋ３、…）は変数がａｃｋ１、ａｃｋ２、ａｃｋ３、…などである関数であり、ここで以下のようなｆの式を提供する。
【０１００】
【数５】
2016524852.tif 000021
【０１０１】
そして、式（４）が以下のような式（６）に変換できる。
【０１０２】
【数６】
2016524852.tif 000022
【０１０３】
ステップ３０４において、基地局側は、ＵＥの対応するＥＰＤＣＣＨ情報をＵＥへ送信する。
【０１０４】
具体的に、基地局は、確定されたＥＰＤＣＣＨリソース位置により、ＥＰＤＣＣＨリソースを見付けて、前記ＥＰＤＣＣＨリソースを利用してＤＣＩ情報をＵＥへ送信して、ＵＥがそのＨＡＲＱ情報を取得するようにする。
【０１０５】
前記ＵＥがそのＨＡＲＱ情報を取得するステップ、即ち、ＵＥ側の処理ステップは以下のとおりである。
【０１０６】
ステップ３０４-１において、ＵＥは、基地局から送信された対応するＥＰＤＣＣＨ情報を受信し、即ち、ＵＥはＥＰＤＣＣＨにより基地局からのＤＣＩを受信する。
【０１０７】
ステップ３０４-２において、ＵＥは、ＥＰＤＣＣＨ情報受信に必要な関連情報、例えば、ＥＰＤＣＣＨ-ＰＲＢ-ｓｅｔのＰＲＢ割り当て数、アグリゲーションレベルＬ、ＣＩＦ指示値ｎＣＩなどの情報を取得する。ここでのＥＰＤＣＣＨは、ＵＥのアップリンク許可情報を含んでもよく、ＵＥのダウンリンク許可情報を含んでもよい。
【０１０８】
ステップ３０４-３において、ＵＥは、ＥＰＤＣＣＨ情報を送信する現在サブフレームに従って、基地局がＨＡＲＱ情報を送信するかどうかを判断し、判断結果に従ってＰＤＣＣＨのリソース位置を取得する。
【０１０９】
ＨＡＲＱの送信がある場合、本発明の実施例に係る前記方法を採用してＥＰＤＣＣＨリソース位置を取得し、ＨＡＲＱの送信がない場合、従来のＬＴＥ技術におけるＥＰＤＣＣＨリソース位置割り当て方法に従ってＥＰＤＣＣＨリソース位置を取得する。即ち、本発明の実施例に係る技術的な解決策は下位互換性を有する。
【０１１０】
基地局側のＨＡＲＱ情報とＥＰＤＣＣＨリソース位置割り当てのステップと類似し、ＵＥは以下の式に応じてＵＥのＥＰＤＣＣＨリソース位置を計算する。
2016524852.tif 000023
【０１１１】
ここで、ｆの式は、基地局側と一致性を保持する。
【０１１２】
ＵＥが基地局からフィードバックされたＨＡＲＱ情報の具体値を知らないので、復調する時に、すべての可能なＨＡＲＱ値をトラバーサルして、対応するＥＰＤＣＣＨリソース割り当て位置を取得する必要がある。
【０１１３】
ステップ３０４-４において、ＵＥは、前記ＥＰＤＣＣＨリソース位置により指示されるＰＤＣＣＨリソース上で自身のＥＰＤＣＣＨ情報を復調し、即ち、復調して自身のＤＣＩを取得する。
【０１１４】
式における対応するパラメーターに対する説明は、以下のとおりである。
【０１１５】
ｉ＝０，……，Ｌ−１である。
【０１１６】
ＮＥＣＣＥ，ｐ，ｋは集合ＥＰＤＣＣＨ-ＰＲＢ-ｓｅｔＰ集合におけるＥＣＣＥの数であり、ルックアップテーブルにより取得される。
【０１１７】
上位層にＣＩＦ指示が構成されると、ｂ＝ｎＣＩであり、上位層にＣＩＦが構成されないと、ｂ＝０であり、ｎＣＩはＣＩＦの値であり、ｍ＝０，１，…Ｍ（Ｌ）−１であり、
2016524852.tif 000024
はＥＰＤＣＣＨ-ＰＲＢ-ｓｅｔｐにおけるアグリゲーションレベルがＬである候補ＥＰＤＣＣＨの数である。
【０１１８】
Ｙｐ，ｋの値はＹｐ，ｋ＝（Ａ・Ｙｋ−１）ｍｏｄＤであり、ここで、Ｙｐ−１＝ｎＲＮＴＩ≠０であり、Ａ＝３９８２７であり、Ｄ＝６５５３７であり、ｋは無線フレームにおけるサブフレーム番号であり、ｋ＝［ｎｓ／２］であり、ｋは無線フレームにおけるサブフレーム番号であり、ｎｓは無線フレームにおけるｓｌｏｔのコーディングであり、ｎＲＮＴＩは上位層により構成されるＵＥの端末識別番号である。
【０１１９】
具体的な実施例３
システムがアップリンクデータのＨＡＲＱ情報を送信する場合に、ＰＨＩＣＨリソースの不足により、アップリンクデータのＨＡＲＱ情報を送信できない可能性がある。ここでは、この問題を解決するための一つの具体的な実施例を提供する。ここで、端末が同時に二つのデータブロックをアップロードすると仮定する場合、基地局は、受信した前記二つのデータブロックに対して受信処理を行った後、受信処理結果を送信する必要があり、即ち、同時に二つのＨＡＲＱ情報を送信する。基地局側の具体的な操作プロセスは、以下のとおりである。
【０１２０】
１．基地局は、ＵＥのアップリンクデータを取得し、前記アップリンクデータに対して受信処理を行って、前記アップリンクデータのＨＡＲＱ情報、ａｃｋ１、ａｃｋ２を取得し、前記ａｃｋ１とａｃｋ２の値は０又は１である。
【０１２１】
２．基地局は、ＵＥのＥＰＤＣＣＨ-ＰＲＢ-ｓｅｔ情報、サブフレーム番号を取得し、ｐ、ｋの値を確定し、且つＵＥのＥＰＤＣＣＨ情報を送信するために必要な関連情報、例えば、ＰＲＢ割り当て数、アグリゲーションレベルＬ、ＣＩＦ指示値ｎＣＩ、ＮＥＣＣＥ値などの情報を取得する。ここでのＥＰＤＣＣは、ＨＵＥのアップリンク許可情報を含んでもよく、ＵＥのダウンリンク許可情報を含んでもよい。
【０１２２】
３．基地局は、以下の式に応じてＵＥのＥＰＤＣＣＨリソース位置を計算する。
2016524852.tif 000025
【０１２３】
本具体的な実施例において、式におけるＭ１の値は
2016524852.tif 000026
であり、Ｍ２の値は
2016524852.tif 000027
であり、ＨＡＲＱ情報の送信があるので、パラメーターＫ１、Ｋ２の値は１であり、ＥＰＤＣＣＨリソース位置を計算する式は以下のとおりである。
2016524852.tif 000028
【０１２４】
４．基地局はＵＥのＥＰＤＣＣＨ情報を送信する。
【０１２５】
具体的に、基地局は、確定されたＥＰＤＣＣＨリソース位置により、ＥＰＤＣＣＨリソースを見付けて、前記ＥＰＤＣＣＨリソースを利用してＤＣＩ情報をＵＥへ送信し、ＵＥがそのＨＡＲＱ情報を取得するようにする。
【０１２６】
ＵＥ側において、前記ＵＥがそのＨＡＲＱ情報を取得するステップは以下のとおりである。
【０１２７】
１．ＵＥは、基地局から送信された対応するＥＰＤＣＣＨ情報を受信する。
【０１２８】
２．ＵＥは、そのＥＰＤＣＣＨ情報を受信することに必要な関連情報、例えば、ＥＰＤＣＣＨ-ＰＲＢ-ｓｅｔのＰＲＢ割り当て数、アグリゲーションレベルＬ、ＣＩＦ指示値ｎＣＩなどの情報を取得する。ここでのＥＰＤＣＣＨは、ＵＥのアップリンク許可情報を含んでもよく、ＵＥのダウンリンク許可情報を含んでもよい。
【０１２９】
３．ＵＥは、以下の式に応じてＵＥのＥＰＤＣＣＨリソース割り当て位置を計算する。
2016524852.tif 000029
【０１３０】
本実施例において、式におけるＭ１の値は
2016524852.tif 000030
であり、Ｍ２の値は
2016524852.tif 000031
であり、ＨＡＲＱ情報の送信があるので、パラメーターＫ１とＫ２の値は１であり、ＥＰＤＣＣＨリソース位置を計算する式は以下のとおりである。
2016524852.tif 000032
【０１３１】
ＵＥが基地局からフィードバックされたＨＡＲＱ情報の具体値を知らないので、復調する時に、すべての可能なＨＡＲＱ値をトラバーサルして、対応するＥＰＤＣＣＨリソース位置を取得する必要がある。
【０１３２】
４．ＵＥは、対応するＥＰＤＣＣＨリソース位置により指示されるＥＰＤＣＣＨ上で自身のＥＰＤＣＣＨ情報を復調する。
【０１３３】
式における対応するパラメーターに対する説明は、以下のとおりである。
【０１３４】
ｉ＝０，……，Ｌ−１である。
【０１３５】
ＮＥＣＣＥ，ｐ，ｋは集合ＥＰＤＣＣＨ-ＰＲＢ-ｓｅｔＰ集合におけるＥＣＣＥの数であり、ルックアップテーブルにより取得される。
【０１３６】
上位層にＣＩＦ指示が構成されると、ｂ＝ｎＣＩであり、上位層にＣＩＦ指示が構成されないと、ｂ＝０であり、ｎＣＩはＣＩＦの値であり、ｍ＝０，１，…Ｍ（Ｌ）−１であり、
2016524852.tif 000033
はＥＰＤＣＣＨ-ＰＲＢ-ｓｅｔｐにおけるアグリゲーションレベルがＬである候補ＥＰＤＣＣＨの数である。
【０１３７】
Ｙｐ，ｋの値はＹｐ，ｋ＝（Ａ・Ｙｋ−１）ｍｏｄＤであり、ここで、Ｙｐ−１＝ｎＲＮＴＩ≠０であり、Ａ＝３９８２７であり、Ｄ＝６５５３７であり、ｋは無線フレームにおけるサブフレーム番号であり、ｋ＝［ｎｓ／２］であり、ｋは無線フレームにおけるサブフレーム番号であり、ｎｓは無線フレームにおけるｓｌｏｔのコーディングであり、ｎＲＮＴＩは上位層により構成されるＵＥの端末識別番号である。
【０１３８】
具体的な実施例４
基地局側がアップリンクデータを受信しない場合に、ＨＡＲＱ情報の送信がない。基地局側の具体的な操作プロセスは以下のとおりである。
【０１３９】
１．基地局は、ＵＥのＥＰＤＣＣＨ-ＰＲＢ-ｓｅｔの情報、及びサブフレーム番号を取得し、ｐ、ｋの値を確定し、そしてＵＥのＥＰＤＣＣＨを送信することに必要な関連情報、例えば、ＰＲＢ割り当て数、アグリゲーションレベルＬ、ＣＩＦ指示値ｎＣＩ、ＮＥＣＣＥ値などの情報を取得する。ここでのＥＰＤＣＣＨは、ＵＥのアップリンク許可情報を含んでもよく、ＵＥのダウンリンク許可情報を含んでもよい。
【０１４０】
２．以下の式に応じてＵＥのＥＰＤＣＣＨリソース割り当て位置を計算する。
2016524852.tif 000034
【０１４１】
本実施例において、ＨＡＲＱ情報の送信がないので、パラメーターＫ１とＫ２の値は０であり、ＥＰＤＣＣＨリソース位置を計算する式は以下のとおりである。
2016524852.tif 000035
【０１４２】
３．基地局は、ＵＥのＥＰＤＣＣＨ情報を送信する。具体的に、基地局は、確定されたＥＰＤＣＣＨリソース位置により、ＥＰＤＣＣＨリソースを見付けて、前記ＥＰＤＣＣＨリソースを利用してＤＣＩ情報をＵＥへ送信し、ＵＥがそのＨＡＲＱ情報を取得するようにする。
【０１４３】
ＵＥ側において、前記ＵＥがそのＨＡＲＱ情報を取得するステップは、以下のとおりである。
【０１４４】
１．ＵＥは、基地局から送信された対応するＥＰＤＣＣＨ情報を受信する。
【０１４５】
２．ＵＥは、そのＥＰＤＣＣＨ情報を受信することに必要な関連情報、例えば、ＥＰＤＣＣＨ-ＰＲＢ-ｓｅｔのＰＲＢ割り当て数、アグリゲーションレベルＬ、ＣＩＦ指示値ｎＣＩなどの情報を取得する。ここでのＥＰＤＣＣＨは、ＵＥのアップリンク許可情報を含んでもよく、ＵＥのダウンリンク許可情報を含んでもよい。
【０１４６】
３．ＵＥは、以下の式に応じてＵＥのＥＰＤＣＣＨリソース位置を計算する。
2016524852.tif 000036
【０１４７】
本具体的な実施例において、ＨＡＲＱ情報の送信がないので、パラメーターＫ１とＫ２の値は０であり、ＥＰＤＣＣＨリソース位置を計算する式は以下のとおりである。
2016524852.tif 000037
【０１４８】
上記式からわかるように、本発明の実施例の前記ＥＰＤＣＣＨリソース位置割り当て方式は従来のＬＴＥ技術における割り当て方式と互換性がある。
【０１４９】
４．ＵＥは、対応するＥＰＤＣＣＨリソース位置により指示されるＥＰＤＣＣＨリソース上で自身のＥＰＤＣＣＨ情報を復調する。
【０１５０】
式における対応するパラメーターに対する説明は、以下のとおりである。
【０１５１】
ｉ＝０，……，Ｌ−１である。
【０１５２】
ＮＥＣＣＥ，ｐ，ｋは集合ＥＰＤＣＣＨ-ＰＲＢ-ｓｅｔＰ集合におけるＥＣＣＥの数であり、ルックアップテーブルにより取得される。
【０１５３】
上位層にＣＩＦ指示が構成されると、ｂ＝ｎＣＩであり、上位層にＣＩＦ指示が構成されないと、前記ｂ＝０、ｎＣＩはＣＩＦの値であり、ｍ＝０，１，…Ｍ（Ｌ）−１であり、
2016524852.tif 000038
はＥＰＤＣＣＨ-ＰＲＢ-ｓｅｔｐにおけるアグリゲーションレベルがＬである候補ＥＰＤＣＣＨの数である。
【０１５４】
Ｙｐ，ｋの値はＹｐ，ｋ＝（Ａ・Ｙｋ−１）ｍｏｄＤであり、ここで、Ｙｐ−１＝ｎＲＮＴＩ≠０であり、Ａ＝３９８２７であり、Ｄ＝６５５３７であり、ｋは無線フレームにおけるサブフレーム番号であり、［ｎｓ／２］であり、ｋは無線フレームにおけるサブフレーム番号であり、ｎｓは無線フレームにおけるｓｌｏｔのコーディングであり、ｎＲＮＴＩはＲＮＴＩであって、上位層により構成されるＵＥの端末識別番号である。
【０１５５】
Ｋ１、Ｋ２、Ｋ３、…はデータブロック関連のａｃｋ送信イネーブルスイッチであり、これらのイネーブルスイッチは上位層により準静的に構成してもよく、制御シグナルにより動的に構成してもよく、時系列関係に従ってそのイネーブルを判断してもよく、構成しなくてもよい。構成されると、ＵＥ側で検出される計算量が低減され、構成されないと、ＵＥで検出される計算量が増加される。
【０１５６】
Ｍ１、Ｍ２、Ｍ３…の値の前提は、同じアグリゲーションレベルＬで、ＵＥがＨＡＲＱを含むＰＤＣＣＨ/ＥＰＤＣＣＨリソース位置情報とＨＡＲＱを含まないＰＤＣＣＨ/ＥＰＤＣＣＨリソース位置情報を重ならないようにすることを保証し、同時に、ＵＥが異なるＨＡＲＱ情報を含むＰＤＣＣＨ/ＥＰＤＣＣＨリソース位置情報を重ならないようにすることを保証して、ＨＡＲＱ情報の正確な伝送を保証する。
【０１５７】
Ｍ１、Ｍ２、Ｍ３…情報の取得方式は上位層により基地局側とＵＥ側に構成されてもよく、標準的な方式により規範されてもよく、例えば、一つのデータベースを作成して、データを変更や拡張禁止にする。
【０１５８】
図４は本発明の実施例に係る基地局の構造模式図であり、図４に示すように、ＨＡＲＱ情報取得モジュール４０１、位置確定モジュール４０２、および情報送信モジュール４０３を含む。
【０１５９】
前記ＨＡＲＱ情報取得モジュール４０１は、ＵＥのアップリンクデータを受信して、前記アップリンクデータに対して受信処理を行うことにより前記アップリンクデータのＨＡＲＱ情報を取得するように構成される。
【０１６０】
前記位置確定モジュール４０２は、ダウンリンク制御情報を送信するための関連情報および前記ＨＡＲＱ情報を利用して、前記ＨＡＲＱ情報に対応する制御チャネルリソース位置を確定するように構成される。
【０１６１】
前記情報送信モジュール４０３は、前記制御チャネルリソース位置により指示される制御チャネルリソースを利用して、ダウンリンク制御情報をＵＥへ送信し、ＵＥが前記ＨＡＲＱ情報を取得するようにするように構成される。
【０１６２】
ここで、前記ＨＡＲＱ情報取得モジュール４０１、位置確定モジュール４０２および情報送信モジュール４０３は、前記基地局における中央処理装置（ＣｅｎｔｒａｌＰｒｏｃｅｓｓｉｎｇＵｎｉｔ、ＣＰＵ）、デジタル信号処理装置（ＤｉｇｉｔａｌＳｉｇｎａｌＰｒｏｃｅｓｓｏｒ、ＤＳＰ）又はフィールドプログラマブルゲートアレイ（Ｆｉｅｌｄ−ＰｒｏｇｒａｍｍａｂｌｅＧａｔｅＡｒｒａｙ、ＦＰＧＡ）により実現することができる。
【０１６３】
図５は本発明の実施例に係る端末の構造模式図であり、図５に示すように、情報受信モジュール５０１、ＨＡＲＱ情報判断モジュール５０２及びＨＡＲＱ情報取得モジュール５０３を含む。
【０１６４】
前記情報受信モジュール５０１は、制御チャネルにより基地局からのダウンリンク制御情報を受信するように構成される。
【０１６５】
前記ＨＡＲＱ情報判断モジュール５０２は、前記ダウンリンク制御情報を送信するための現在サブフレームの情報を利用して、ＨＡＲＱ情報が送信されたかどうかを判断するように構成される。
【０１６６】
前記ＨＡＲＱ情報取得モジュール５０３は、ＨＡＲＱ情報が送信されたと判断する場合、前記ダウンリンク制御情報により利用される制御チャネルリソース位置を確定することにより、ＨＡＲＱ情報を取得するように構成される。
【０１６７】
好ましくは、前記端末は、前記制御チャネルリソース位置により、対応する制御チャネルリソースを見付けて、前記制御チャネルリソースを利用して前記ＵＥのダウンリンク制御情報に対して復調を行うように構成される情報復調モジュール５０４をさらに含み、上記の制御チャネルはＰＤＣＣＨ又はＥＰＤＣＣＨである。
【０１６８】
ここで、前記情報受信モジュール５０１、ＨＡＲＱ情報判断モジュール５０２、ＨＡＲＱ情報取得モジュール５０３および情報復調モジュール５０４は、前記端末におけるＣＰＵ、ＤＳＰ又はＦＰＧＡにより実現することができる。
【０１６９】
図６は本発明の実施例に係る前記ＨＡＲＱ情報送信のシステムの構造模式図であり、図７に示すように、上述した基地局と端末を含む。
【０１７０】
上記のように、本発明の実施例はＨＡＲＱ情報とＰＤＣＣＨ/ＥＰＤＣＣＨリソース位置の割り当てを結合することにより、ＨＡＲＱ情報を暗黙的に伝送する上に、ＰＤＣＣＨ/ＥＰＤＣＣＨ情報を伝送し、同時に、時間周波数リソースも節約する。
【０１７１】
本分野の当業者は、本発明の実施形態が方法、システムまたはコンピュータプログラム製品として提供されることができると理解すべきである。従って、本発明は、ハードウェア実施形態、ソフトウェア実施形態、またはハードウェア実施形態およびソフトウェア実施形態を組み合わせた実施形態を使用することができる。しかも、本発明は、コンピュータ使用可能プログラムコードを含む１つ以上のコンピュータで使用可能な記憶媒体（磁気ディスク記憶装置と光メモリなどを含むがこれらに限られない）に実施されるコンピュータプログラム製品の形態を使用することができる。
【０１７２】
本発明は、本発明の実施形態による方法、装置（システム）とコンピュータプログラム製品のフローチャートおよび／またはブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサして１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【０１７３】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【０１７４】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【０１７５】
以上で本発明に対して詳細に説明したが、本発明はこれに限らない、本技術分野の従業者は本発明の原理に従って各種類の改修を行える。そのため、本発明の原理に従ってできる改修は、いずれも本発明の請求範囲に含まれることを理解すべきである。
【図１】
2016524852.tif 000039
【図２】
2016524852.tif 000040
【図３】
2016524852.tif 000041
【図４】
2016524852.tif 000042
【図５】
2016524852.tif 000043
【図６】
2016524852.tif 000044
【国際調査報告】
2016524852.tif 000045
2016524852.tif 000046
2016524852.tif 000047
2016524852.tif 000048